(57)【要約】【課題】記録再生装置のスペース効率を向上できるカートリッジディスクローディング装置を提供する。【解決手段】カートリッジディスクローディング装置３０は、カートリッジ本体１０を載置するとともに記録再生装置２０の筐体２１に支持されたトレイ３１と、トレイ３１を進退させるとともに、上昇手段３２によりカートリッジ１２を上昇させる。上昇手段３２のカートリッジ押上手段４１は、カートリッジ接触ピン４３によりカートリッジ１２の後部を押し上げる。上昇手段３２のトレイ押上手段４２は、トレイ接触部４４を各トレイ接触リブ３１Ｈに接触させてトレイ３１の前部のみを押し上げることによりトレイ３１を前部上がりに傾斜させる。【選択図】  図９
2004342162.tif 000002
【特許請求の範囲】
【請求項１】
カートリッジにディスクが収容されたカートリッジ本体を載置可能な載置面を備えるとともに記録及び／又は再生装置の筐体に支持されたトレイを備え、
前記トレイを前記ディスクの記録及び／又は再生位置から、前記カートリッジ本体を着脱可能な交換位置まで、前記筐体に対して進退させるとともに、前記記録及び／又は再生位置において前記カートリッジを所定高さに上昇させる上昇手段を備えるカートリッジディスクローディング装置であって、
前記上昇手段が、前記記録及び／又は再生位置において前記トレイの一方の側を押し上げることにより前記トレイを傾斜させるトレイ押上手段を有していることを特徴とするカートリッジディスクローディング装置。
【請求項２】
請求項１に記載したカートリッジディスクローディング装置において、
前記トレイにおける前記一方の側に立設されているとともに前記カートリッジの底面に設けられた位置決め穴に係合可能なカートリッジ位置決めピンを有することを特徴とするカートリッジディスクローディング装置。
【請求項３】
請求項１に記載したカートリッジディスクローディング装置において、
前記載置面における前記一方の側に段差が設けられていることを特徴とするカートリッジディスクローディング装置。
【請求項４】
請求項１に記載したカートリッジディスクローディング装置において、
前記載置面における前記一方の側に傾斜が設けられていることを特徴とするカートリッジディスクローディング装置。
【請求項５】
請求項１に記載したカートリッジディスクローディング装置において、
前記トレイの裏面側に配置されているとともに前記トレイに向かって移動可能なリフト部材を有し、
前記トレイ押上手段が、前記リフト部材に設けられたトレイ接触部又は前記トレイに設けられたリフト部材接触部により前記トレイの一方の側を押し上げることを特徴とするカートリッジディスクローディング装置。
【請求項６】
請求項１に記載したカートリッジディスクローディング装置において、
前記トレイの裏面側に配置されているとともに前記トレイに向かって移動可能なリフト部材を有し、
前記トレイが前記交換位置から前記記録及び／又は再生位置まで前記筐体内に設けられた案内部に沿って移動する際に、前記トレイ押上手段が前記トレイの裏面に設けられたトレイ接触リブを前記案内部に乗り上げさせることにより前記トレイの一方の側を押し上げることを特徴とするカートリッジディスクローディング装置。
【請求項７】
請求項１ないし請求項５のいずれかに記載したカートリッジディスクローディング装置において、
前記カートリッジを載置したときに進退方向に対して略平行な前記カートリッジの側面が露呈するように前記トレイが形成されていることを特徴とするカートリッジディスクローディング装置。
【発明の詳細な説明】
【０００１】
【発明の属する技術分野】
本発明はカートリッジディスクローディング装置に関する。
【０００２】
【従来の技術】
図１に示すように、例えばＤＶＤ−ＲＡＭ等のカートリッジ本体１００は、ディスク１０１における情報記録面（図１中、下面）を保護するために、ディスク１０１がカートリッジ１０２に収容されている。
カートリッジ１０２は、略中空薄箱状に形成されているとともに、中央部からディスク１０１の径方向に沿って設けられた開口１０３がシャッタ１０４により閉鎖されていて、シャッタ１０４を開放することによりディスク１０１の情報記録面が外部に露呈可能となっている。
【０００３】
このようなカートリッジ本体１００におけるディスク１０１の情報記録面にアクセスして情報を再生（読み取り）あるいは記録（書き込み）する記録再生装置の一般的な構成を模式的に図２に示す（例えば特許文献１参照）。
図２に示す記録再生装置２００は、筐体２０１と、筐体２０１に内蔵されたピックアップ装置２０２と、ディスク１０１を回転駆動させる駆動部２０３と、カートリッジディスクローディング装置３００とを含んで構成されている。
【０００４】
カートリッジディスクローディング装置３００は、筐体２０１に支持されてカートリッジ本体１００のカートリッジ１０２を載置可能なトレイ３０１と、トレイ３０１を筐体２０１に対して図２中、左右方向に進退させる進退手段（図示せず）と、トレイ３０１を筐体２０１に収容した状態でトレイ３０１からカートリッジ１０１を所定高さに上昇させる上昇手段３０３と、トレイ３０１を筐体２０１に収容した状態でディスク１０１の円心部を厚み方向に挟持して保持するクランプ手段３０４とを有している。
【０００５】
トレイ３０１は、カートリッジ１０２の平面形状に対応した底部と、底部に立設された３つの壁部とを備えている。各壁部は、カートリッジ１０２における三方向の側端面に沿うように設けられている。
このトレイ３０１は、アクセス位置から交換位置まで、例えばラック＆ピニオンを介したモータ等の進退手段により進退可能とされている。
【０００６】
ここで、アクセス位置とは、トレイ３０１が筐体２０１に収容された状態でピックアップ装置２０２がディスク１０１の情報記録面に再生装置であれば再生を行う位置であり、記録装置であれば記録を行う位置であり、記録再生装置であれば記録及び再生を行う位置（図２（Ｃ）の状態）である。一方、交換位置とは、使用者がカートリッジ本体１００を交換できるようにトレイ３０１が筐体２０１から突出した状態である（図２（Ａ）の状態）。
以下、交換位置に向く方向を「前部」、アクセス位置に向く方向を「後部」と称する。
【０００７】
ところで、カートリッジ本体１００は、その規格上、カートリッジ１０２の底面における所定の複数箇所が同一平面に対して面接触した状態でトレイ３０１に載置されることが求められている。
従って、図２（Ａ）の状態においてカートリッジ本体１００は、トレイ３０１に設けられた複数の載置面３０５に対して面接触するように載置され、かつ、底部から立設された四方の壁部によりトレイ３０１に位置決めされる。
【０００８】
上昇手段３０３は、トレイ３０１がアクセス位置に配置された状態でトレイ３０１の裏面側となるように配置されたリフト部材３０６と、リフト部材３０６に支持された複数のカートリッジ位置決めピン３０７とを有している。
リフト部材３０６は略板状とされ、筐体２０１内の後部側（図２中、左側）を中心として前部側（図２中、右側）が上下するように回動し、これによりトレイ３０１に対して近接離反する。そして、前述したピックアップ装置２０２およびモータ等の駆動部２０３はリフト部材３０６に支持されている。
【０００９】
クランプ手段３０４は、駆動部２０３の回転軸に取り付けられた皿状のターンテーブル３０４Ａと、筐体２０１の天井面に板バネ等の弾性部材を介して取り付けられたクランパ３０４Ｂとを有している。これらのターンテーブル３０４Ａおよびクランパ３０４Ｂは、一方にマグネットが内蔵されているとともに、他方が磁性体金属とされ、互いに吸着・離反を反復することによりディスク１０１の円心部を厚み方向に挟持可能となっている。
【００１０】
このクランプ手段３０４は、トレイ３０１がアクセス位置に移動した際に、上昇手段３０３のリフト部材３０６が回動することによりトレイ３０１に向かってターンテーブル３０４Ａを移動させる。
これにより、各カートリッジ位置決めピン３０７がトレイ３０１に設けられた貫通孔３０８を通過してカートリッジ１０１に設けられた位置決め穴に係合して位置決めを行うとともに、ターンテーブル３０４Ａがディスク１０１の円心部を上方に押し上げる。
【００１１】
ターンテーブル３０４Ａがディスク１０１を所定高さまで押し上げながらクランパ３０４Ｂに一定寸法まで接近すると、クランパ３０４Ｂが磁力によりターンテーブル３０４Ａに吸着し、これによりターンテーブル３０４Ａおよびクランパ３０４Ｂが厚み方向に挟持されて、ディスク１０１がカートリッジ１０２の内壁面に対して接触しない位置に保持される。
【００１２】
以上のような記録再生装置２００は、トレイ３０１が交換位置にある状態で使用者がカートリッジ本体１００のカートリッジ１０２をトレイ３０１に載置し、次いで使用者がトレイ３０１を筐体２０１に向かって押し込むか、あるいは開閉スイッチを操作して進退手段３０２を作動させることにより、トレイ２０１を交換位置からアクセス位置に移動させると、上昇手段３０３およびクランプ手段３０４が協働してディスク１０１を所定位置に保持する。
【００１３】
この記録再生装置２００は、筐体２０１に設けられたシャッタ開閉部材がカートリッジ１０２のシャッタ１０４（図１参照）に係合することによりシャッタ１０４を開放し、ディスク１０１の情報記録面をピックアップ装置２０２に対して露呈させる。
【００１４】
【特許文献１】
特開平９−９１８２１号公報
【００１５】
【発明が解決しようとする課題】
ところで、前述したカートリッジディスクローディング装置３００は、カートリッジ１０２の位置決め穴に対応するカートリッジ位置決めピン３０７がリフト部材３０６に設けられているため、リフト部材３０６が筐体２１内において後部側から前部側まで連続する長尺部材である必要がある。そして、このリフト部材３０６は、回動中心から離れた位置に設けられたカートリッジ位置決めピン３０７をカートリッジ１０２の位置決め穴に係合させ、かつ、退避させるために回動させる必要がある。
従って、前述したカートリッジディスクローディング装置３００は、筐体２０１内におけるリフト部材３０６の占有スペースが大きいため、スペース効率が悪いという問題がある。
【００１６】
本発明が解決しようとする課題としては、前述した従来技術において生じる再生装置のスペース効率が悪いという問題が一例として挙げられる。
【００１７】
【課題を解決するための手段】
本発明は、カートリッジにディスクが収容されたカートリッジ本体を載置可能な載置面を備えるとともに記録及び／又は再生装置の筐体に支持されたトレイを備え、前記トレイを前記ディスクの記録及び／又は再生位置から、前記カートリッジ本体を着脱可能な交換位置まで、前記筐体に対して進退させるとともに、前記記録及び／又は再生位置において前記カートリッジを所定高さに上昇させる上昇手段を備えるカートリッジディスクローディング装置であって、前記上昇手段が、前記記録及び／又は再生位置において前記トレイの一方の側を押し上げることにより前記トレイを傾斜させるトレイ押上手段を有していることを特徴とする。
【００１８】
【発明の実施の形態】
（実施の形態）
本発明において、カートリッジを上昇させるための上昇手段を構成するトレイ押上手段およびカートリッジ押上手段としては、例えば従前のリフト部材に所定のピンを固定しておき、リフト部材を回動させることによりピンを昇降させる構造や、あるいはラック＆ピニオンを介するモータ駆動により所定のピンを昇降させる構造等を例示できる。
【００１９】
すなわち、本発明におけるトレイ押上手段およびカートリッジ押上手段としては、カートリッジおよびトレイにおける所定位置を押し上げることができれば構造等は任意であり、互いに独立して作動する構造であってもよい。
ここでいう「独立して作動する」は、機構としてトレイ押上手段およびカートリッジ押上手段が独立している場合以外にも、例えば従前のリフト部材等を共有してカートリッジおよびトレイにおける所定位置を同時に押上可能な構造等も含まれる。
【００２０】
なお、カートリッジ押上手段の押上位置としてはカートリッジ本体の重心位置よりも他方の側であればよく、トレイ押上手段の押上位置としてはトレイの重心位置よりも一方の側であればよい。
ここで、「重心位置」とは、カートリッジ本体，トレイの質量中心である。
【００２１】
また、本発明におけるカートリッジ位置決めピンとしては、カートリッジ本体の規格上、あらかじめカートリッジの定められた位置に設けられた位置決め穴に係合可能な位置に形成されたものでもよく、あるいはこの規格上の位置決め穴とは関係なく設けられた別の位置決め穴に対して係合可能なものでもよい。
すなわち、本発明におけるカートリッジ位置決めピンとしては、トレイに対してカートリッジを位置決め可能であれば位置，形態等は任意であるが、前述したようにカートリッジディスクの規格に則った位置決め穴に対応して設けておけば、トレイを製作する金型に別途凹凸を設ける必要がない等の理由で有利である。
【００２２】
また、本発明における段差又は傾斜としては、トレイが傾斜した際にカートリッジとの干渉を防止することができれば形状は任意である。以下上記の段差又は傾斜を凹部と呼ぶ。
【００２３】
さらに、本発明におけるカートリッジ位置決めピンと凹部との位置関係としては、カートリッジ位置決めピンが載置面に立設されている場合と、凹部に立設されている場合と、載置面および凹部に跨って立設されている場合とが考えられるが、本発明においてはいずれを選択してもよい。
【００２４】
また、本発明におけるカートリッジ押上手段としては、リフト部材に支持されたカートリッジ接触ピンを例示できる。このカートリッジ接触ピンは、トレイを通過してカートリッジを押し上げる。
ここで、「トレイを通過」とは、例えばトレイを厚み方向に貫通する貫通孔にカートリッジ接触ピンが挿通される場合等を例示でき、トレイに対して接触・非接触を問わずにカートリッジ接触ピンがカートリッジの底面に到達できればよい。
【００２５】
一方、トレイ押上手段としては、リフト部材に支持されたトレイ接触部をトレイの所定位置に接触させる構造や、あるいは筐体に設けられた案内部材に対してびトレイの裏面に設けられたトレイ接触部を乗り上げさせる構造等を例示できる。
【００２６】
ここで、トレイは、カートリッジにおける一対の側面が露呈可能であってもよく、あるいは一方の側面が露呈可能であってもよい。カートリッジにおける一方の側面が露呈する場合には、例えばカートリッジ本体のシャッタを開閉するためのレバーが設けられた側端面が露呈するように形成することが好ましい。
【００２７】
以上のような本発明の更なる具体例を図面に基づいて第１実施例および第２実施例として詳細に説明する。
【００２８】
（第１実施例）
図３および図４には、本発明の第１実施例である記録再生装置２０が示されている。すなわち、図３は記録再生装置２０と、カートリッジ１２にディスク１１が収容されたカートリッジ本体１０とを示す全体斜視図、図４は記録再生装置２０の分解斜視図である。
【００２９】
カートリッジ本体１０は、カートリッジ１２の側端面に設けられたレバー（図示せず）を操作することによりシャッタ１３が開閉し、シャッタ１３を開放させることによりカートリッジ本体１０におけるディスク１１の情報記録面が外部に露呈する。
そして、記録再生装置２０は、カートリッジ本体１０におけるディスク１１の情報記録面にアクセスして情報を再生（読み取り）あるいは記録（書き込み）する。
なお、本実施例では記録及び再生が可能な記録再生装置を用いるが、以下に説明する本発明は再生のみ可能な再生装置、記録のみ可能な記録装置においても適応可能である。
【００３０】
図３に示すように、記録再生装置２０は、カバー２０Ａに収容された筐体２１を有している。筐体２１は、互いに略箱状に組み合わせられるローディングベース２１Ａおよびクランパホルダ２１Ｂを有する。
また、図４に示すように、記録再生装置２０は、筐体２１に内蔵されたピックアップ装置２２と、ディスク１１を回転駆動させるモータ等の駆動部２３と、カートリッジディスクローディング装置３０とを含んで構成されている。
【００３１】
カートリッジディスクローディング装置３０は、筐体２１に支持されてカートリッジ本体１０が面接触状態で載置可能な複数の載置面３１Ａを備えるトレイ３１を備え、カートリッジ１２をトレイ３１の載置面３１Ａから上昇手段３２により所定高さに上昇させるとともに、クランプ手段３３によりカートリッジ本体１０のディスク１１を厚み方向に挟持する。
【００３２】
すなわち、カートリッジディスクローディング装置３０は、アクセス位置から交換位置までトレイ３１を移動させるとともに、アクセス位置においてカートリッジ１２をトレイ３１の載置面３１Ａから所定高さに上昇させ、かつ、カートリッジ本体１０のカートリッジ１２の内壁面に対して接触しない位置までディスク１１を上昇させて保持することにより、ピックアップ装置２２に対してディスク１１の情報記録面を配置するためのものである。
【００３３】
ここで、アクセス位置とは、トレイ３１が筐体２１に収容された状態でピックアップ装置２２がディスク１１の情報記録面に記録及び再生を行う位置である。一方、交換位置とは、使用者がカートリッジ本体１０を交換できるようにトレイ３１が筐体２１から突出した状態である。
以下、交換位置に向く方向を「前部」、アクセス位置に向く方向を「後部」と称する。
【００３４】
このカートリッジディスクローディング装置３０は、筐体２１に内蔵されたモータに回転駆動されるピニオンギヤがトレイ３１に取り付けられたラックに噛合していて、モータを駆動することにより、アクセス位置から交換位置までトレイ３１を往復進退させる。
【００３５】
図５および図６にトレイ３１を示す。すなわち、図５はトレイ３１の載置面３１Ａを上方に向けた斜視図であり、図６はトレイ３１の裏面３１Ｂを上方に向けた斜視図である。
トレイ３１は、載置面３１Ａと、載置面３１Ａに設けられた一対の貫通孔３１Ｅと、載置面３１Ａに立設された一対のカートリッジ位置決めピン３１Ｆと、各カートリッジ位置決めピン３１Ｆから前部側に形成された凹部３１Ｇと、凹部３１Ｇの辺縁から立ち上がる壁部３１Ｄと、裏面３１Ｂに設けられた一対のトレイ接触リブ３１Ｈとを備えている。
【００３６】
図４に戻って、底部３１Ｃには、駆動部２３の配置個所と、ピックアップ装置２２の移動範囲に対応した開口が設けられている。
また図３において、壁部３１Ｄは、トレイ３１が筐体２１に収容されたときに、筐体２１を収容するカバー２０Ａに設けられた進退開口部の蓋部となるように形成されてもよい。
【００３７】
このトレイ３１は、カートリッジ１２を載置したときに進退方向に対して交差する方向に壁部が設けられておらず、すなわちカートリッジ本体１０のカートリッジ１２の側端面が露呈するように形成されている。従って、カートリッジ本体１０は、トレイ３１に載置されるとカートリッジ１２に設けられてシャッタ１３を開閉するためのレバーが露呈する。
【００３８】
再び図５および図６に示すように、貫通孔３１Ｅは、載置面３１Ａの後部側を厚み方向に貫通するように設けられている。カートリッジ位置決めピン３１Ｆは、略円柱形状とされ、載置面３１Ａの前部側から略直角に立設されている（図５にのみ図示）。
各トレイ接触リブ３１Ｈは、トレイ３１の質量中心、すなわち重心位置と各カートリッジ位置決めピン３１Ｆに対応する位置との間に配置されると、よりスペース効率が良くなる。
【００３９】
図７にカートリッジ位置決めピン３１Ｆおよび凹部３１Ｇの位置関係を示す。凹部３１Ｇは、カートリッジ位置決めピン３１Ｆ近傍を境界として前部側の略全域が後部側よりもカートリッジ１２に対して離れるような段差に形成されている。この凹部３１Ｇは、壁部３１Ｄまで連続している（図５参照）。
【００４０】
再び図４に戻って、上昇手段３２は、略板状に形成されたリフト部材３２Ａの略中央部に設けられた開口部の縁部に駆動部２３が取り付けられている。
図８および図９にカートリッジディスクローディング装置３０の動作を示す。
図８に示すように、リフト部材３２Ａは、筐体２１内部の後部側（奥側）において、トレイ３１の進退方向に対して交差する方向（図８、図９中、奥行方向）に延びる支軸を中心として回動することにより前部側がトレイ３１の裏面に対して近接離反する。
そして、このようなこのリフト部材３２Ａにより、上昇手段３２を構成するカートリッジ押上手段４１およびトレイ押上手段４２が動作する。
【００４１】
カートリッジ押上手段４１は、リフト部材３２Ａの回動中心側に設けられたカートリッジ接触ピン４３によりカートリッジ１２を押し上げる。
カートリッジ接触ピン４３は、トレイ３１の貫通孔３１Ｅに挿通可能な位置に設けられていて、リフト部材３２Ａが回動したときに、貫通孔３１Ｅに挿通されてカートリッジ１２の裏面をトレイ３１の載置面３１Ａから所定寸法押し上げ可能な軸方向長さを有している。
【００４２】
一方、トレイ押上手段４２は、リフト部材３２Ａの先端側に設けられたトレイ接触部４４によりトレイ３１を押し上げる。
トレイ接触部４４は、トレイ３１の裏面３１Ｂに設けられたトレイ接触リブ３１Ｈに接触可能な位置に設けられていて、リフト部材３２Ａが回動したときに、トレイ３１の前部のみを所定寸法押し上げることによりトレイ３１を前部上がり（図９の状態）に傾斜させる。
なお、前述ではトレイ接触リブ３１Ｈをトレイ３１の裏面３１Ｂに設ける構成を用いたが、代わりにリフト部材３２Ａの先端にリフト接触リブを設け、リフト部材３２Ａが回動したときに、トレイ３１の前部のみを所定寸法押し上げる様な構成としても、同様にトレイ３１を前部上がりに傾斜させることもできる。
【００４３】
クランプ手段３３は、従来と同じように、駆動部２３の回転軸に取り付けられた皿状のターンテーブル３３Ａと、クランパホルダ２１Ｂに板バネ等の弾性部材を介して取り付けられたクランパ３３Ｂとを有している。これらのターンテーブル３３Ａおよびクランパ３３Ｂは、一方にマグネットが内蔵されているとともに、他方が磁性体金属とされ、互いに吸着・離反を反復することによりディスク１１を厚み方向に挟持可能となっている。
【００４４】
このような第１実施例の動作を図８〜図１０を参照しながら説明する。
図８に示すように、交換位置において使用者がトレイ３１にカートリッジ本体１０を載置し、トレイ３１を筐体２１に押し込むか、あるいは進退スイッチを操作することによりトレイ３１をアクセス位置に移動させる。
この際、カートリッジ１２は、当該カートリッジ１２の進退方向に対して略平行な側端面が露呈するようにトレイ３１が形成されているため、シャッタ１３を開閉するためのレバーが筐体２１の側端面に配置された係合部に係合し、トレイ３１がアクセス位置に移動するに伴って次第にシャッタ１３が開放され、トレイ３１がアクセス位置に移動完了した段階ではシャッタ１３が全開してディスク１１の情報記録面が露呈する。
【００４５】
図９に示すように、カートリッジディスクローディング装置３０は、トレイ３１がアクセス位置に移動完了した状態で、リフト部材３２Ａを図９中、時計回りに回動させることにより、上昇手段３２のカートリッジ押上手段４１であるカートリッジ接触ピン４３を貫通孔３１Ｅに挿通させてトレイ３１の載置面３１Ａからカートリッジ１２の後部を所定寸法押し上げ、かつ、トレイ押上手段４２であるトレイ接触部４４をリフト３１の裏面３１Ｂに設けられたトレイ接触リブ３１Ｈに接触させてトレイ３１の前部を所定寸法押し上げてトレイ３１を前部上がりに傾斜させる。
すなわち、カートリッジ１２は、カートリッジ押上手段４１およびトレイ押上手段４２の協働により略水平状態を維持したまま、所定高さに上昇される。
【００４６】
この際、図１０（Ａ）および図１０（Ｂ）に示すように、載置面３１Ａに凹部３１Ｇが設けられているため、トレイ３１が前部上がりに傾斜しても、カートリッジ１２の前部側とトレイ３１とが干渉する虞れはなく、これによりカートリッジ１２の姿勢が変化することはない。
また、段差として形成された凹部３１Ｇを設ける代わりに、トレイ後部から前部にかけて傾斜として形成された凹部を設けても前述の効果と同様の効果を得ることができる。
【００４７】
図９に戻って、また、カートリッジディスクローディング装置３０は、リフト部材３２Ａの回動に伴って、駆動部２３の回転軸に取り付けられたターンテーブル３３Ａをクランパ３３Ｂに接近させて、クランパ３３Ｂを磁力によりターンテーブル３３Ａに吸着させ、これによりカートリッジ１２の内壁面に対して接触しない位置にディスク１１を保持する。
【００４８】
前述した第１実施例によれば、カートリッジ押上手段４１およびトレイ押上手段４２の協働により、ディスク１１およびカートリッジ１２を所定位置に配置するため、位置決めピン３１Ｆに対応する位置までリフト部材３２Ａが延びている必要はない。
従って、前述した第１実施例によれば、従来に比較してトレイ３１の裏側におけるスペース効率を向上できる。特に、この第１実施例によれば、リフト部材３２Ａが各トレイ接触リブ３１Ｈにまで延びていればよいため、リフト部材３２Ａの回動半径を従来に比較して短くでき、これによりトレイ３１の裏側におけるスペース効率を一層向上できる。
【００４９】
その上、前述した第１実施例によれば、トレイ３１の質量中心、すなわち重心位置と各カートリッジ位置決めピン３１Ｆが設けられた位置との間に配置されたトレイ接触リブ３１Ｈを介してトレイ押上手段４２がトレイ３１を押し上げるため、さらにリフト部材３２Ａを短くでき、これによりトレイ３１の裏側におけるスペース効率をさらに向上できる。
【００５０】
また、前述した第１実施例によれば、トレイ３１に位置決めピン３１Ｆが設けられているため、使用者がトレイ３１にカートリッジ本体１０を載置した段階でトレイ３１に対するカートリッジ１２の位置決めが完了する。
従って、前述した第１実施例のトレイ３１は、従来のようにカートリッジ１２における三方向の側端面に沿うように壁部を設けておく必要がない。
すなわち、この第１実施例によれば、カートリッジ１２の側端面が露呈するようにトレイ３１を形成しておけるため、トレイ３１の幅寸法（進退方向に対して交差する幅寸法）を小さくでき、これにより記録再生装置２０を小型化できる。
【００５１】
（第２実施例）
図１１および図１２に本発明に係る第２実施例である記録再生装置５０を示す。これらの図において、既に第１実施例で説明した部材等は第１実施例で用いた符号と同一符号を付して説明を省略する。
この記録再生装置５０は、カートリッジディスクローディング装置６０の上昇手段６２を構成するトレイ押上手段７２が前述した第１実施例の記録再生装置２０との相違点となっている。
【００５２】
トレイ押上手段７２は、トレイ６１を進退させる進退手段７０の案内部である案内レール７１と、トレイ６１の裏面６１Ｂにおける前部側に設けられたトレイ接触リブ６１Ｈとによりトレイ６１の前部側を押し上げる。
案内レール７１は、筐体２１内においてトレイ６１の進退方向に対して略水平に設けられている。この案内レール７１に案内されてトレイ６１が交換位置からアクセス位置まで移動すると、アクセス位置に到達する直前にトレイ６１のトレイ接触リブ６１Ｈが案内レール７１に乗り上げ、これによりトレイ６１の前部を押し上げてトレイ６１を前部上がりに傾斜させる。
【００５３】
このような第２実施例によれば、カートリッジ押上手段４１およびトレイ押上手段７２の協働によりディスク１１およびカートリッジ１２を所定位置に配置するため、リフト部材６２Ａを短くでき、前述した第１実施例と同様に、トレイ６１の裏側におけるスペース効率を向上できる。
【００５４】
そして、この第２実施例によれば、トレイ６１のトレイ接触リブ６１Ｈを案内レール７１に乗り上げさせることによりトレイ６１の前部を押し上げるため、リフト部材６２Ａは駆動部２３まで延びていればよいことになる。
従って、この第２実施例によれば、前述した第１実施例に比較して、トレイ６１の裏側におけるスペース効率を一層向上できる。
【００５５】
なお、本実施例の第１及び第２実施例においては、トレイ前部に立設されたカートリッジ位置決めピン近傍であるトレイ前部をトレイ押上手段により押し上げ、前部上がりに傾斜をさせる構成を示したが、図１３の様に、トレイに立設するカートリッジ位置決めピンをトレイ後部に設け、その近傍を押上げる構成を用いる事も可能である。
【００５６】
（第３実施例）
図１３に本発明に係る第３実施例である記録再生装置８０を示す。この図において、既に第１実施例で説明した部材等は第１実施例で用いた符号と同一符号を付して説明を省略する。
この記録再生装置８０は、カートリッジディスクローディング装置９０の上昇手段８２を構成するカートリッジ押上手段９  １およびトレイ押上手段９２が前述した第１実施例の記録再生装置２０との相違点となっている。
【００５７】
カートリッジ押上手段９１は、リフト部材８２Ａの先端側に設けられたカートリッジ接触ピン８３によりカートリッジ１２を押し上げる。
カートリッジ接触ピン８３は、トレイ３１の貫通孔３１Ｅに挿通可能な位置に設けられていて、リフト部材８２Ａが回動したときに、貫通孔３１Ｅに挿通されてカートリッジ１２の裏面をトレイ３１の載置面３１Ａから所定寸法押し上げ可能な軸方向長さを有している。
【００５８】
一方、トレイ押上手段９２は、リフト部材８２Ａの回動中心側に設けられたトレイ接触部９４によりトレイ３１を押し上げる。
トレイ接触部９４は、トレイ３１の裏面３１Ｂに設けられたトレイ接触リブ３１Ｈに接触可能な位置に設けられていて、リフト部材８２Ａが回動したときに、トレイ３１の後部のみを所定寸法押し上げることによりトレイ３１を後部上がり（図１３の状態）に傾斜させる。
【００５９】
この第３実施例の場合も上記第１及び第２実施例と同様に４本のカートリッジ位置決めピン（３１Ｆ，８３）とその近傍の４箇所のみでカートリッジ本体１０を受けるので、トレイ３１の載置面３１Ａに凹凸が存在した場合でも、それに影響される事なく、カートリッジ本体１０を支持する事が可能となる効果を得る事ができる。
【図面の簡単な説明】
【図１】一般的なカートリッジ本体を示す斜視図である。
【図２】従来のカートリッジディスクローディング装置を示す模式断面図である。
【図３】本発明に係る第１実施例の全体構成を示す斜視図である。
【図４】本発明に係る第１実施例の全体構成を示す分解斜視図である。
【図５】本発明に係る第１実施例のトレイを示す斜視図である。
【図６】本発明に係る第１実施例のトレイを示す斜視図である。
【図７】本発明に係る第１実施例の位置決めピンと凹部との位置関係を示す部分破断斜視図である。
【図８】本発明に係る第１実施例のカートリッジディスクローディング装置を示す断面図である。
【図９】本発明に係る第１実施例のカートリッジディスクローディング装置を示す断面図である。
【図１０】本発明に係る第１実施例の凹部を示し、（Ａ）は交換位置、（Ｂ）はアクセス位置における作用を示す模式断面図である。
【図１１】本発明に係る第２実施例のカートリッジディスクローディング装置を示す断面図である。
【図１２】本発明に係る第２実施例のカートリッジディスクローディング装置を示す断面図である。
【図１３】本発明に係る第３実施例のカートリッジディスクローディング装置を示す断面図である。
【符号の説明】
１０  カートリッジ本体
１１  ディスク
１２  カートリッジ
２０，５０  記録再生装置
２１  筐体
３０，６０  カートリッジディスクローディング装置
３１  トレイ
３  １Ａ  載置面
３１Ｆ  カートリッジ位置決めピン
３１Ｇ  凹部
３１Ｈ，６１Ｈ  トレイ接触リブ
３２Ａ，６２Ａ  リフト部材
４１，９１  カートリッジ押上手段
４２，７２，９２  トレイ押上手段
４３  カートリッジ接触ピン
４４  トレイ接触部
【図１】
2004342162.tif 000003
【図２】
2004342162.tif 000004
【図３】
2004342162.tif 000005
【図４】
2004342162.tif 000006
【図５】
2004342162.tif 000007
【図６】
2004342162.tif 000008
【図７】
2004342162.tif 000009
【図８】
2004342162.tif 000010
【図９】
2004342162.tif 000011
【図１０】
2004342162.tif 000012
【図１１】
2004342162.tif 000013
【図１２】
2004342162.tif 000014
【図１３】
2004342162.tif 000015